(57)【特許請求の範囲】
【請求項１】
与えられた音信号を平面波として放射する平面スピーカと、前記音信号を平面波ではない音波として放射するスピーカとを含む複数個のスピーカと、
前記複数個のスピーカに音信号を供給する手段であって、前記複数個のスピーカにおける前記平面スピーカと当該平面スピーカ以外の少なくとも１個の前記音信号を平面波ではない音波として放射するスピーカとに同一の音信号を供給し、聴者に聴取させる音の距離感を指定する制御信号に従って、前記複数個のスピーカにおける前記平面スピーカと当該平面スピーカ以外の少なくとも１個の前記音信号を平面波ではない音波として放射するスピーカとに供給するそれぞれの音信号の信号レベルを距離感が近いほど前記平面スピーカに供給する前記音信号の信号レベルが大きくなるように設定する制御手段と
を具備することを特徴とする音響システム。
【請求項２】
前記平面スピーカは、前記聴者の上方に配置され、下方の前記聴者に向けて前記平面波を放射することを特徴とする請求項１に記載の音響システム。
【請求項３】
前記平面スピーカ以外の少なくとも１個のスピーカは、前記聴者の前方に配置され、前記聴者に向けて音波を放射することを特徴とする請求項１または２に記載の音響システム。
【請求項４】
前記平面スピーカを供給先とする音信号に対して前記聴者の頭部伝達関数における高さ方向の定位に影響のある特徴量を補正するフィルタ処理を施すフィルタ手段をさらに具備することを特徴とする請求項１乃至３のいずれか１の請求項に記載の音響システム。
【請求項５】
前記平面スピーカを供給先とする音信号に対して前記平面スピーカから前記聴者までの区間の伝達関数の逆数の関数に対応したフィルタ係数列を畳み込むフィルタ処理を施すフィルタ手段をさらに具備することを特徴とする請求項１乃至３のいずれか１の請求項に記載の音響システム。
【請求項６】
音信号を発生する音信号発生装置と、前記音信号を平面波として放射する平面スピーカと前記音信号を平面波ではない音波として放射するスピーカとを含む複数個のスピーカと、の間に介挿され、前記複数個のスピーカに音信号を供給する音響特性制御装置であって、
前記複数個のスピーカにおける前記平面スピーカと当該平面スピーカ以外の少なくとも１個の前記音信号を平面波ではない音波として放射するスピーカとに同一の音信号を供給し、聴者に聴取させる音の距離感を指定する制御信号に従って、前記複数個のスピーカにおける前記平面スピーカと当該平面スピーカ以外の少なくとも１個の前記音信号を平面波ではない音波として放射するスピーカとに供給するそれぞれの音信号の信号レベルを距離感が近いほど前記平面スピーカに供給する前記音信号の信号レベルが大きくなるように設定することを特徴とする音響特性制御装置。
【発明の詳細な説明】
【技術分野】
【０００１】
本発明は、映画館やホームシアターにおける音の臨場感を高めるための技術に関する。
【背景技術】
【０００２】
映画館やホームシアターの音響設備に広く採り入れられている音響技術の一つにマルチチャネルサラウンド技術がある。マルチチャネルサラウンド技術は、映像コンテンツの画像とともに再生される音の音像を聴者の前方と側方に配した複数個のスピーカを用いて制御することで、臨場感に富んだ音を聴者に提供する技術である。マルチチャネルサラウンド技術における各スピーカの配置位置については、ＩＴＵ（International
Telecommunication Union）による勧告がなされている。例えば、５チャネルのマルチサラウンド技術では、視聴者の前方におけるスクリーンのある側にセンタチャネルスピーカが配置され、その左右に左フロントスピーカと右フロントスピーカが配置される。また、視聴者の左側方と右側方に左サラウンドスピーカと右サラウンドスピーカが配置される。これら５つのスピーカのうちセンタチャネルスピーカは、台詞のように視聴者の正面に定位する音の再生に用いられる。左フロントスピーカおよび右フロントスピーカは、視聴者の正面左側、真正面或いは正面右側の音像の定位に用いられる。左サラウンドスピーカおよび右サラウンドスピーカは、聴者の側方や後方に定位する音の再生に用いられる。
【先行技術文献】
【特許文献】
【０００３】
【特許文献１】特表２００８−５２２４６７号
【特許文献２】特開平０５−１９１９８７号
【特許文献３】米国特許５５５５３０６号明細書
【発明の開示】
【発明が解決しようとする課題】
【０００４】
ところで、映画館やホームシアターにおいて上映される映像コンテンツの中には、各フレームの再生画像に立体視のための処理が施されているものがある。このような３Ｄの映像コンテンツでは、作品中の人物がスクリーンよりも手前の位置に居るかのような演出が施されたシーンが多く登場する。このようなシーンにおいて人物の台詞の音を聴いた視聴者にその音の音源が自身の耳元近くであるかのように感じさせることができれば、映像コンテンツの上映中の音の臨場感をより高めることが可能である。しかしながら、これまでのマルチサラウンド技術では、スピーカから放射する音を聴取することよって視聴者が感じる音の距離感を制御することはできなかった。
【０００５】
本発明は、このような課題に鑑みてなされたものであり、スピーカから放射する音によって聴者が感じる音の距離感を制御できるようにすることを目的とする。
【課題を解決するための手段】
【０００６】
本発明は、上記課題を解決するため、与えられた音信号を平面波として放射する平面スピーカを含む複数個のスピーカと、前記複数個のスピーカに音信号を供給する手段であって、聴者に聴取させる音の距離感を指定する制御信号に従って、前記複数個のスピーカにおける前記平面スピーカと当該平面スピーカ以外の少なくとも１個のスピーカとに供給するそれぞれの音信号の信号レベルを設定する制御手段とを具備することを特徴とする音響システムを提供する。
【０００７】
この発明では、平面スピーカと当該平面スピーカ以外の少なくとも１個のスピーカとに供給する音信号の信号レベルを設定することにより聴者に聴取させる音の距離感を制御する。よって、本発明によると、聴者に感じさせる音の音像を聴者から見て手前の位置に定位させることができる。従って、本発明によると、複数のスピーカから３Ｄコンテンツの再生音を放音させた場合に聴者が感じる音の距離感を、聴者が３Ｄコンテンツの再生画像を視認することによって感じる当該再生画像内の表示物の距離感に合わせて制御することができる。
【０００８】
ここで、聴者に聴取させる音の距離感制御に関わる技術が開示された文献として、特許文献１〜３がある。しかし、特許文献１の技術は、通常のスピーカと波面合成スピーカとを併用することによって音の音源の定位方向及び距離感を制御するものである。また、特許文献２の技術は、左右２チャネルの入力信号Ｌ，Ｒと、その和信号Ｌ＋Ｒ及び遅延差信号φ（Ｌ−Ｒ）とにより推定される音源の仰角に基づいて、聴者の頭上のスピーカから放出する音の音響的特徴を制御するものである。また、特許文献３の技術は、複数の音源信号に信号処理を施すことにより、直接音の成分を含む信号と初期反射音の成分を含む信号とを個別に生成し、これらの信号を加算した信号を距離感の制御された信号として出力するものである。よって、これらの文献１〜３の技術は本発明とは内容を異にするものである。
【図面の簡単な説明】
【０００９】
【図１】本発明の第１実施形態である音響システムを含む３Ｄコンテンツ視聴システムが設置された居室の平面図及び正面図である。
【図２】同システムの音響特性制御装置の構成を示すブロック図である。
【図３】同システムによる動画像コンテンツの立体視の原理を示す図である。
【図４】本発明の第２実施形態である音響システムの制御装置の構成を示す図である。
【図５】本発明の第３実施形態である音響システムが設置された居室を示す平面図である。
【図６】本発明の第４実施形態である音響システムが設置された居室を示す平面図である。
【図７】上記各実施形態の音響特性制御装置の他の構成例を示すブロック図である。
【図８】上記各実施形態の音響特性制御装置の他の構成例を示すブロック図である。
【図９】上記各実施形態において音の距離感の制御に用いるスピーカの組み合わせの他の例を示す図である。
【図１０】本発明の他の実施形態である音響システムを示す図である。
【図１１】同音響システムの信号処理系の構成を示すブロック図である。
【図１２】本発明の他の実施形態である音響システムを示す図である。
【発明を実施するための形態】
【００１０】
以下、図面を参照し、この発明の実施の形態を説明する。
＜第１実施形態＞
図１（Ａ）は、本発明の第１実施形態である音響システムを含む３Ｄコンテンツ視聴システムが設置された居室７０の平面図である。図１（Ｂ）は、図１（Ａ）の居室７０を矢印Ｂ方向から見た図である。本実施形態である音響システムは、３Ｄ映像コンテンツの再生画像とともに再生される再生音を居室７０内の視聴者Ｐに聴取させるシステムである。ここで、居室７０において、聴取者Ｐの前方の壁ＷＦ、後方の壁ＷＢ、左側の壁ＷＬ、右側の壁ＷＲのうち前方の壁ＷＦの内側中央のテレビラック８１上には３ＤテレビＲＳが置かれている。視聴者Ｐは、偏光メガネＧを装着して居室７０の中心に置かれた椅子７１に腰かけ、３ＤテレビＲＳに映し出される再生画像を鑑賞する。
【００１１】
図１（Ａ）に示すように、本実施形態である音響システムは、居室７０の床ＦＦにおける視聴者Ｐの前方（３ＤテレビＲＳのある側）、左前方、右前方、左後方、及び右後方にそれぞれ設置された、センタチャネルスピーカＳＣ、左フロントスピーカＳＬ、右フロントスピーカＳＲ、左サラウンドスピーカＳＢＬ、及び右サラウンドスピーカＳＢＲと、天井ＷＵにおける視聴者Ｐの上方（ほぼ真上）に設置されたスピーカＳＦと、コンテンツ再生装置８０と、スピーカＳＣ，ＳＬ，ＳＲ，ＳＢＬ，ＳＢＲ，及びＳＦとコンテンツ再生装置８０との間に介挿された音響特性制御装置１０とを有する。
【００１２】
視聴者Ｐの周囲の６つのスピーカＳＣ，ＳＬ，ＳＲ，ＳＢＬ，ＳＢＲ，及びＳＦの各放音面は視聴者Ｐに向けられている。床ＦＦにおける５つのスピーカＳＣ，ＳＬ，ＳＲ，ＳＢＬ，ＳＢＲは、各々に与えられた音信号ＭＡＣ，ＭＡＬ，ＭＡＲ，ＭＡＢＬ，ＭＡＢＲを、平面波でない音波（例えば、球面波）である音ＭＣ，ＭＬ，ＭＲ，ＭＢＬ，ＭＢＲとして放射するスピーカである。視聴者Ｐは、スピーカＳＣ，ＳＬ，ＳＲ，ＳＢＬ，ＳＢＲから放射された音ＭＣ，ＭＬ，ＭＲ，ＭＢＬ，ＭＢＲが自身の左耳ＥＬと右耳ＥＲに到達した時刻の到達時間差（音の伝搬経路の差に応じた位相差）や音圧差（音の伝搬経路の差に応じた振幅の減衰量の差）によって音ＭＣ，ＭＬ，ＭＲ，ＭＢＬ，ＭＢＲの音源の方向を認識し、その音源に対応する音像を知覚する。
【００１３】
スピーカＳＦは、当該スピーカＳＦに与えられる音信号ＭＡＳＦを平面波である音ＭＳＦとして放射する平面スピーカである。より具体的に説明すると、図１（Ｂ）の右側の枠内の詳細図に示すように、スピーカＳＦは、１枚の振動板１と、この振動板１を両側から挟む２枚の電極板２Ｕ及び２Ｄとを有する。振動板１と電極板２Ｕとの間には不織布３Ｕが介挿されており、振動板１と電極板２Ｄとの間には不織布３Ｄが介挿されている。電極板２Ｕ及び２Ｄには音波を通過させるための複数の孔が穿設されている。振動板１には直流バイアス電圧ＶＢが印加される。そして、電極板２Ｕ及び２Ｄの各々には、当該スピーカＳＦの入力信号ＭＡＳＦである正逆２相の信号Ｖ０及び−Ｖ０（｜Ｖ０｜＜ＶＢ）が印加される。
【００１４】
ここで、振動板１及び電極板２Ｕ間の電界強度Ｆ１（不図示）は、振動板１及び電極板２Ｕ間の電位差ＶＢ−Ｖ０に依存し、振動板１及び電極板２Ｄ間の電界強度Ｆ２（不図示）は、振動板１及び電極板２Ｄ間の電位差ＶＢ−（−Ｖ０）に依存する。そして、スピーカＳＦでは、信号Ｖ０の極性が正であり、信号−Ｖ０の極性が負である場合には、ＶＢ−Ｖ０＜ＶＢ−（−Ｖ０）となり、Ｆ１＜Ｆ２となるので、振動板１は電極板２Ｕに向かって変位する。逆に信号Ｖ０の極性が負であり、信号−Ｖ０の極性が正である場合には、ＶＢ−Ｖ０＞ＶＢ−（−Ｖ０）となり、Ｆ１＞Ｆ２となるので、振動板１は電極板２Ｄ側に向かって変位する。このように信号Ｖ０及び−Ｖ０に応じて振動板１は電極板２Ｕ方向または電極板２Ｄ方向に変位する。そして、この振動板１が電極板２Ｄの側に変位する度に、振動板１と電極板２Ｄとの間に信号Ｖ０及び−Ｖ０に応じた空気の粗密波である音波が発生する。この音波が電極板２Ｄ及びその孔を透過し、平面波である音ＭＳＦとして下方に伝搬される。この音ＭＳＦは、平面波でない音ＭＣ，ＭＬ，ＭＲ，ＭＢＬ，ＭＢＲと異なり距離減衰が殆どない。このため、音ＭＳＦは、天井ＷＵにあるスピーカＳＦから放射された後、殆ど減衰することなく視聴者Ｐの左耳ＥＬ及び右耳ＥＲに届く。
【００１５】
コンテンツ再生装置８０は、３Ｄ映像コンテンツの再生画像を示す画像信号Ｖとその再生音を示す左右２チャネルの音信号Ｌ，Ｒとを発生する信号発生装置としての役割を果たす。図２に示すように、コンテンツ再生装置８０は、光学ドライブ１１とデコーダ１２とを有している。光学ドライブ１１は、記録媒体９０に記録されている３Ｄ映像コンテンツの圧縮符号化信号を読み出してデコーダ１２に供給する。デコーダ１２は、この圧縮符号化信号に復号化処理を施すことにより再生画像の画像信号Ｖと再生音の左右２チャネルの音信号Ｌ，Ｒを生成し、信号Ｖを３ＤテレビＲＳに供給するとともに信号Ｖ，Ｌ，Ｒを音響特性制御装置１０に供給する。３ＤテレビＲＳは、コンテンツ再生装置８０の出力信号Ｖに従って再生画像を表示する動作を行う。
【００１６】
図３に示すように、３Ｄ映像コンテンツの再生画像には、左眼視用の表示物ＩＯＬと右眼視用の表示物ＩＯＲ（以下、表示物ＩＯＬと表示物ＩＯＲを区別しない場合は表示物ＩＯと記す）が間隔（以下、この間隔を両眼視差ＳＤＦという）を空けて映っている。視聴者Ｐが偏光メガネＧを通してこの画像を視た場合、左眼ＶＳＮＬの網膜と右眼ＶＳＮＲの網膜には一方の表示物ＩＯだけが結像する。これにより、視聴者Ｐは、左眼ＶＳＮＬによって認識する表示物ＩＯＬの位置と右眼ＶＳＮＲによって認識する表示物ＩＯＲの位置との差である両眼視差ＳＤＦに応じた距離Ｄだけ表示物ＩＯが手前に存在しているかのように錯覚し、再生画像が奥行きをもった３Ｄ映像として視認される。
【００１７】
音響特性制御装置１０は、コンテンツ再生装置８０の出力信号Ｌ，Ｒから各スピーカＳＣ，ＳＬ，ＳＲ，ＳＢＬ，ＳＢＲ，及びＳＦを供給先とする６チャネルの音信号ＭＡＣ，ＭＡＬ，ＭＡＲ，ＭＡＢＬ，ＭＡＢＲ，及びＭＡＳＦを生成して各々に供給するとともに、これらのスピーカＳＣ，ＳＬ，ＳＲ，ＳＢＬ，ＳＢＲ，及びＳＦのうち視聴者Ｐの上方（ほぼ真上）のスピーカＳＦに供給する音信号ＭＡＳＦの信号レベルと前方のスピーカＳＣに供給する音信号ＭＡＣの信号レベルとのバランスを調整することにより視聴者Ｐに聴取させる音ＭＣの距離感を制御する役割を果たす。
【００１８】
図２に示すように、音響特性制御装置１０は、方向性制御部２１０と、遅延部２２０と、ＬＰＦ（Low Pass Filter）２３０と、増幅部２４１，２４２，２４３，２４４，２４６と、位相反転部２５０と、フィルタ２６０と、Ｄ／Ａ変換部２７１，２７２，２７３，２７４，２７５，２７６と、利得制御部２８０とを有する。各部の役割について説明すると、方向性制御部２１０は、音信号Ｌと音信号Ｒの和Ｌ＋ＲをスピーカＳＣを供給先とする音信号ＭＤＣとし、この音信号ＭＤＣを増幅部２４１及び２４６に供給する。また、方向性制御部２１０は、音信号ＬをスピーカＳＬを供給先とする音信号ＭＤＬとし、この音信号ＭＤＬを増幅部２４２に供給する。また、方向性制御部２１０は、音信号ＲをスピーカＳＲを供給先とする音信号ＭＤＲとし、この音信号ＭＤＲを増幅部２４３に供給する。また、方向性制御部２１０は、音信号Ｌと音信号Ｒの差Ｌ−ＲをスピーカＳＢＬを供給先とする音信号ＭＤＢＬとし、この音信号ＭＤＢＬを遅延部２２０に供給する。
【００１９】
増幅部２４１は、方向性制御部２１０から供給される音信号ＭＤＣを利得ｇ１で増幅する。増幅部２４１による増幅を経た音信号ＭＤＣ×ｇ１はＤ／Ａ変換部２７１に入力される。Ｄ／Ａ変換部２７１は、音信号ＭＤＣ×ｇ１をＤ／Ａ変換したアナログ音信号ＭＡＣをスピーカＳＣに供給し、スピーカＳＣから音ＭＣを放射させる。増幅部２４２は、方向性制御部２１０から供給される音信号ＭＤＬを利得ｇ２で増幅する。増幅部２４２による増幅を経た音信号ＭＤＬ×ｇ２はＤ／Ａ変換部２７２に入力される。Ｄ／Ａ変換部２７２は、音信号ＭＤＬ×ｇ２をＤ／Ａ変換したアナログ音信号ＭＡＬをスピーカＳＬに供給し、スピーカＳＬから音ＭＬを放射させる。増幅部２４３は、方向性制御部２１０から供給される音信号ＭＤＲを利得ｇ３で増幅する。増幅部２４３による増幅を経た音信号ＭＤＲ×ｇ３はＤ／Ａ変換部２７３に入力される。Ｄ／Ａ変換部２７３は、信号ＭＤＲ×ｇ３をＤ／Ａ変換したアナログ音信号ＭＡＲをスピーカＳＲに供給し、スピーカＳＲから音ＭＲを放射させる。
【００２０】
遅延部２２０は、方向性制御部２１０から出力された信号ＭＤＢＬを遅延量Δφだけ遅延させた遅延音信号ＭＤＢＬ’を出力する。この遅延部２２０の遅延量Δφは居室７０内において創出する残響感の大きさなどを考慮して決めるとよい。遅延部２２０の出力信号ＭＤＢＬ’はＬＰＦ２３０に入力される。ＬＰＦ２３０は、音信号ＭＤＢＬ’における高域成分を除去した信号ＭＤＢＬ”を増幅部２４４に出力する。増幅部２４４は、ＬＰＦ２３０から出力される信号ＭＤＢＬ”を利得ｇ４で増幅する。増幅部２４４による増幅を経た音信号ＭＤＢＬ”×ｇ４は、Ｄ／Ａ変換部２７４と位相反転部２５０に入力される。Ｄ／Ａ変換部２７４は、音信号ＭＤＢＬ”×ｇ４をＤ／Ａ変換したアナログ音信号ＭＡＢＬをスピーカＳＢＬに供給し、スピーカＳＢＬから音ＭＢＬを放射させる。位相反転部２５０は、信号ＭＤＢＬ”×ｇ４の位相を反転させた音信号ＭＤＢＲをＤ／Ａ変換部２７５に出力する。Ｄ／Ａ変換部２７５は、音信号ＭＤＢＲをＤ／Ａ変換したアナログ音信号ＭＡＢＲをスピーカＳＢＲに供給し、スピーカＳＢＲから音ＭＢＲを放射させる。
【００２１】
増幅部２４６は、方向性制御部２１０から出力された音信号ＭＤＣを利得ｇ６で増幅する。増幅部２４６による増幅を経た信号ＭＤＣ×ｇ６はフィルタ２６０に入力される。フィルタ２６０は、信号ＭＤＣ×ｇ６に対して視聴者Ｐの頭部伝達関数Ｈ（すなわち、視聴者Ｐの頭が無いと仮定した場合における視聴者Ｐの両耳ＥＬ及びＥＲの中心位置から視聴者Ｐの外耳道入口（または鼓膜）に至る音の伝達関数）における高さ方向の定位に影響のある特徴量ＲＨを補正するフィルタ処理を施し、このフィルタ処理を経た信号ＭＤＳＦをＤ／Ａ変換部２７６に出力する。より具体的には、フィルタ２６０は、信号ＭＤＣ×ｇ６における特徴量ＲＨを含む周波数帯域（例えば、６ｋＨｚから８ｋＨｚ）内の所定の成分を減衰させてディップＤＲＨを形成させるフィルタ処理を実行する。そして、フィルタ２６０は、信号ＭＤＣ×ｇ６におけるディップＤＲＨを形成させた信号を信号ＭＤＳＦとする。Ｄ／Ａ変換部２７６は、信号ＭＤＳＦをＤ／Ａ変換したアナログ音信号ＭＡＳＦをスピーカＳＦに供給し、スピーカＳＦから音ＭＳＦを放射させる。
【００２２】
ここで、この音ＭＳＦは、視聴者Ｐに音ＭＣの音源が自身の近くにあるかのように感じさせる効果を発揮する。その理由は次の通りである。平面スピーカであるスピーカＳＦから放射される音ＭＳＦは、平面スピーカでないスピーカＳＣから放射される音ＭＣに比べると音のエネルギーの距離減衰量が極めて小さく、近くの受聴点における音の音圧と遠くの受聴点における音の音圧との間にほとんど差が生じない。また、視聴者Ｐが日頃聴取する音は平面スピーカでないスピーカから放射される音であるのが通常である。このため、視聴者Ｐは、自身の左耳ＥＬ及び右耳ＥＲに到達した音に距離減衰の殆どない平面波が含まれていても、そのことを意識することなく音の音量を主な手掛かりにして音源までの距離を感覚的に認識（推測）する。よって、視聴者Ｐは、自身の通常の距離感からすれば伝搬距離が長くなるに従って減衰するはずの音波が減衰せずに左耳ＥＬ及び右耳ＥＲに到達した場合、その音が近くの音源から放射された音であると錯覚する。このような理由により、平面波である音ＭＳＦが平面波でない音ＭＣとともに視聴者Ｐに向けて放出されている場合、視聴者Ｐは音ＭＣの音源が近くにあるかのように感じる。
【００２３】
利得制御部２８０は、増幅部２４１，２４２，２４３，２４４，２４６の利得ｇ１，ｇ２，ｇ３，ｇ４，ｇ６を制御する回路である。利得制御部２８０は、増幅部２４１の利得ｇ１と増幅部２４６の利得ｇ６との間に次式（１）の関係が成り立つように利得ｇ１及びｇ６を連動して制御する。なお、利得ｇ２〜ｇ４は、通常のサラウンドシステムにおいて各チャネルに適用されるものと同様な利得が適用される。
ｇ１２＋ｇ６２＝１…（１）
【００２４】
より詳細に説明すると、利得制御部２８０は、コンテンツ再生装置８０のデコーダ１２から１フレーム分の画像信号Ｖが与えられる度に、画像信号Ｖを解析し、その信号Ｖが表す画像内の表示物ＩＯについての両眼視差ＳＤＦを求める。この両眼視差ＳＤＦは、視聴者Ｐに見せる物体の距離感を演出するためのパラメータであり、演出しようとする距離感（より具体的には物体の前後方向の位置）により増減する。そこで、利得制御部２８０は、この両眼視差ＳＤＦを視聴者Ｐに聴取させる音の距離感を指定する制御信号、より具体的には視聴者Ｐに知覚させる音源の前後方向における位置を指定する制御信号として利用し、この両眼視差ＳＤＦに係数Ｋ１を乗じた値を増幅部２４６の利得ｇ６とし、この利得ｇ６を前掲式（１）に代入して求まる値（１−ｇ６２）１／２を増幅部２４１の利得ｇ１とする。
【００２５】
本実施形態によると、次の効果が得られる。
第１に、本実施形態では、複数個のスピーカＳＣ，ＳＬ，ＳＲ，ＳＢＬ，ＳＢＲ，ＳＦに供給する音信号ＭＡＣ，ＭＡＬ，ＭＡＲ，ＭＡＢＬ，ＭＡＢＲ，及びＭＡＳＦのうちセンタチャネルスピーカＳＣに供給する音信号ＭＡＣの信号レベルと平面スピーカＳＦに供給する音信号ＭＡＳＦの信号レベルのバランスを調整することにより視聴者Ｐに聴取させる音の距離感を制御する。よって、本実施形態によると、視聴者Ｐに感じさせるセンタチャネルの音ＭＣの音像を、３ＤテレビＲＳの再生画像よりも手前の位置に定位させることができる。従って、本実施形態によると、視聴者Ｐが３Ｄコンテンツの再生音ＭＣを聴取することによって感じる当該音ＭＣの距離感を、視聴者Ｐが３Ｄコンテンツの再生画像を視認することによって感じる当該再生画像内の表示物ＩＯの距離感に合わせて制御することができる。
【００２６】
第２に、本実施形態では、スピーカＳＦは天井ＷＵにおける視聴者Ｐの上方（ほぼ真上）に設置されている。スピーカＳＦの設置位置が視聴者Ｐの上方である場合、視聴者Ｐが３Ｄ映像コンテンツの視聴中に左右方向などに顔の向きを変えたとしても、視聴者Ｐは左耳ＥＬに到達する音ＭＳＦと視聴者Ｐの左耳ＥＲに到達する音ＭＳＦとの間に大きな違いを感じないため、距離感をつかみ難い。このため、視聴者Ｐは、３Ｄ映像コンテンツの視聴中に左右方向などに顔の向きを変えたとしても、自身の上方にスピーカＳＦがあることに気付かない。よって、本実施形態によると、スピーカＳＦを別の位置に設置する場合に比べて距離感の制御を行い易くすることができる。
【００２７】
第３に、本実施形態では、利得制御部２８０は、増幅部２４１の利得ｇ１と増幅部２４６の利得ｇ６を前掲の式（１）の関係が成り立つように連動して制御する。よって、例えば、あるシーンの表示物ＩＯを立体視した場合における距離Ｄが大きければ利得ｇ６を上げるとともにその分だけ利得ｇ１を下げ、距離Ｄが小さければ利得ｇ６を下げるとともにその分だけ利得ｇ１を上げる、といった操作を行うことにより、視聴者Ｐが感じる音の大きさを変えることなくその音の距離感だけを変化させることができる。
【００２８】
＜第２実施形態＞
図４は、本発明の第２実施形態である音響システムにおける音響特性制御装置１０Ａの構成を示すブロック図である。この音響特性制御装置１０Ａは、音響特性制御装置１０（図２）のフィルタ２６０をフィルタ２６０Ａに置き換えたものである。このフィルタ２６０Ａは、平面スピーカＳＦを供給先とする信号ＭＤＣ×ｇ６に対して平面スピーカＳＦから視聴者Ｐまでの区間の伝達関数ＨＡの逆数の関数に対応したフィルタ係数列ｈｊ（ｊ＝１，２…ｇ）（より具体的には、伝達関数ＨＡの逆数の関数に逆ＦＦＴ（Fast Fourier Transform）を施して得られるフィルタ係数列ｈｊ（ｊ＝１，２…ｇ））を畳み込む処理をフィルタ処理として実行し、この処理の処理結果（ＭＤＣ×ｇ６）＊ｈｊ（ｊ＝１，２…ｇ）を信号ＭＤＳＦとしてＤ／Ａ変換部２７６に出力する。本実施形態では、この畳込み演算により、平面スピーカＳＦからの音ＭＳＦと平面スピーカＳＦでないスピーカＳＣからの音ＭＣとをより一体化させ、距離感制御の精度を高めることができる。
【００２９】
＜第３実施形態＞
図５は、本発明の第３実施形態である音響システムが設置された居室７０を示す図である。本実施形態では、平面波を放射するスピーカ（平面スピーカ）ＳＦが壁ＷＦにおける視聴者Ｐの前方の位置に設置されている。この平面スピーカＳＦの放射面は視聴者Ｐに向けられている。本実施形態によっても、第１実施形態と同様の効果を奏することができる。また、本実施形態では、スピーカＳＦを天井ＷＵではなく前方の壁ＷＦに設置するため、第１実施形態よりもスピーカＳＦの設置作業の負担が軽くなる。
【００３０】
＜第４実施形態＞
図６は、本発明の第４実施形態である音響システムが設置された居室７０を示す図である。本実施形態では、平面波を放射するスピーカ（平面スピーカ）ＳＦＬが左側の壁ＷＬにおける視聴者Ｐの左側方の位置に設置されている。また、平面波を放射するスピーカ（平面スピーカ）ＳＦＲが右側の壁ＷＲにおける視聴者Ｐの右側方の位置に設置されている。平面スピーカＳＦＬ及びＳＦＲの放射面は視聴者Ｐに向けられている。音響特性制御装置１０は、この２つのスピーカＳＦＬ及びＳＦＲに同振幅且つ同位相の音信号を供給する。本実施形態によっても、第１実施形態と同様の効果を奏することができる。また、本実施形態では、スピーカＳＦＬ及びＳＦＲを天井ＷＵではなく壁ＷＬ及びＷＲに設置するため、第１実施形態よりもスピーカＳＦＬ及びＳＦＲの設置作業の負担が軽くなる。
【００３１】
＜他の実施形態＞
以上、この発明の第１乃至第４実施形態について説明したが、この発明には他にも実施形態があり得る。例えば、以下の通りである。また、以下の変形例同士を適宜組み合わせても良い。
【００３２】
（１）上記第１，第３，及び第４実施形態において、フィルタ２６０は、信号ＭＤＣ×ｇ６における特徴量ＲＨを含む帯域内の所定の成分を減衰させてディップＤＲＨを形成させるフィルタ処理を実行した。このフィルタ２６０として、ディップＤＲＨの帯域よりも低域の帯域を通過させるローパスフィルタとディップＤＲＨの帯域よりも高域の帯域を通過させるハイパスフィルタを並列化した帯域除去フィルタ等、複数種類のフィルタを組み合わせたフィルタを用いてもよい。
【００３３】
（２）上記第１〜第４実施形態では、利得制御部２８０は、画像信号Ｖが示す画像内における表示物ＩＯの両眼視差ＳＤＦを、視聴者Ｐに聴取させる音の距離感を指定する制御信号として利用し、この制御信号に応じて増幅部２４１及び２４６の利得ｇ１及びｇ６を制御した。しかし、音の距離感を手動で任意に指定する操作を行うためのリモコンを視聴者Ｐに携帯させ、利得制御部２８０がこのリモコンの操作に従って利得ｇ１及びｇ６を任意の値に制御するようにしてもよい。
【００３４】
あるいは、このようなリモコンの操作によって生成される制御信号を画像信号および音信号とともに記録媒体に記録するコンテンツ制作装置を構成してもよい。具体的には、画像信号Ｖと左右２チャネルの音信号Ｌ，Ｒとを再生し、映像と音声を視聴者Ｐに視聴させるとともに、視聴者Ｐにリモコンの操作を行わせることにより制御信号を発生させ、距離感を適切に制御させる。このリモコン操作により発生する制御信号を元の画像信号Ｖと左右２チャネルの音信号Ｌ，Ｒとともに圧縮符号化し、その結果得られる３Ｄ映像コンテンツの圧縮符号化信号を記録媒体に記録する。そして、コンテンツ再生装置８０がこの記録媒体から画像信号Ｖと左右２チャネルの音信号Ｌ，Ｒとともに制御信号を同期再生し、音響特性制御装置１０，１０Ａに供給するのである。
【００３５】
この態様によれば、距離感を指定する制御信号を視聴者Ｐのリモコン操作により生成し、その制御信号を含む３Ｄ映像コンテンツを制作することができる。従って、視聴者Ｐの個性を反映した３Ｄ映像コンテンツを制作することができる。
【００３６】
（３）上記第１〜第４実施形態では、コンテンツ再生装置８０は、左右２チャネルの音信号Ｌ，Ｒを音響特性制御装置１０，１０Ａに出力した。そして、音響特性制御装置１０，１０Ａが、この左右２チャネルの音信号Ｌ，Ｒから６チャネルの音信号ＭＡＣ，ＭＡＬ，ＭＡＲ，ＭＡＢＬ，ＭＡＢＲ，及びＭＡＳＦを生成し、これらの音信号ＭＡＣ，ＭＡＬ，ＭＡＲ，ＭＡＢＬ，ＭＡＢＲ，及びＭＡＳＦのうちセンタチャネルスピーカＳＣに供給する音信号ＭＡＣの信号レベルと平面スピーカＳＦに供給する音信号ＭＡＳＦの信号レベルのバランスを制御した。しかし、コンテンツ再生装置８０がスピーカＳＣ，ＳＬ，ＳＲ，ＳＢＬ，ＳＢＲ，及びＳＦを供給先とする６チャネルの音信号ＭＡＣ，ＭＡＬ，ＭＡＲ，ＭＡＢＬ，ＭＡＢＲ，及びＭＡＳＦを生成して音響特性制御装置１０，１０Ａに出力するようにしてもよい。
【００３７】
（４）上記実施形態において、床上ＦＦ上の５つのスピーカＳＣ，ＳＬ，ＳＲ，ＳＢＬ，ＳＢＲは、平面スピーカでないスピーカであった。しかし、これらのスピーカＳＣ，ＳＬ，ＳＲ，ＳＢＬ，ＳＢＲのうちの全部または一部を、平面スピーカにより構成してもよい。また、スピーカＳＣ，ＳＬ，ＳＲ，ＳＢＬ，ＳＢＲのうちの全部または一部をアレイスピーカにより構成してもよい。この場合、アレイスピーカを視聴者Ｐの周囲ではなく前方に設置して、生成した音響ビームの反射を利用して、音信号ＭＡＣ，ＭＡＬ，ＭＡＲ，ＭＡＢＬ，ＭＡＢＲ，及びＭＡＳＦを視聴者Ｐに向けて放射してもよい。
【００３８】
（５）上記第１実施形態において、天井の平面スピーカＳＦから視聴者Ｐまでの音の伝搬距離に比べて、正面のスピーカＳＣから視聴者Ｐまでの音の伝搬距離の方が一般に長い。そこで、この音の伝搬距離の差による時間差を補償するために、図７に示すように、増幅部２４６に供給する音信号を遅延させる遅延部２４６Ｄを追加し、正面のスピーカＳＣからの音の視聴者Ｐの耳への到着タイミングと天井のスピーカＳＦからの音の視聴者Ｐの耳への到着タイミングを一致させる構成としてもよい。
【００３９】
（６）上記第１〜第４実施形態では、音信号ＭＡＣの利得ｇ１と音信号ＭＡＳＦの利得ｇ６の両方を制御することにより、両信号ＭＡＣ及びＭＡＳＦの信号レベルのバランスを調整した。しかし、音信号ＭＡＣの信号レベルを固定値としたまま音信号ＭＡＳＦの信号レベルを変化させたり、音信号ＭＡＳＦの信号レベルを固定値としたまま音信号ＭＡＣの信号レベルを変化させることにより、両信号ＭＡＣ及びＭＡＳＦの信号レベルのバランスを調整するようにしてもよい。
【００４０】
（７）上記第１〜第４実施形態では、床ＦＦ上の５つのスピーカＳＣ，ＳＬ，ＳＲ，ＳＢＬ，ＳＢＲのうちスピーカＳＣを供給先とする信号ＭＤＣを距離感制御の対象とし、この信号ＭＤＣからスピーカＳＦに与える信号ＭＡＳＦを生成した。しかし、スピーカＳＣを供給先とする音信号ＭＤＣ，スピーカＳＬを供給先とする音信号ＭＤＬ，スピーカＳＲを供給先とする音信号ＭＤＲ，スピーカＳＢＬを供給先とする音信号ＭＤＢＬ、及びスピーカＳＢＲを供給先とする音信号ＭＤＢＲのうちいずれか１種類の音信号からスピーカＳＦに与える信号ＭＤＳＦを生成してもよい。
【００４１】
また、５つのスピーカＳＣ，ＳＬ，ＳＲ，ＳＢＬ，ＳＢＲのうち２つの以上のスピーカに供給する信号の加算信号からスピーカＳＦに与える信号ＭＡＳＦを生成してもよいし、５種類の音信号ＭＤＳＦ，ＭＤＬ，ＭＤＲ，ＭＤＢＬ，ＭＤＢＲの全てを加算した加算信号からスピーカＳＦに与える信号ＭＡＳＦを生成してもよい。
【００４２】
例えば、居室７０内における視聴者の左前方と右前方のスピーカＳＬ及びＳＲの音ＭＬ及びＭＲによって居室７０内における所望の位置に仮想音源をつくる構成となっている音響システムにおいて、スピーカＳＬを供給先とする信号ＭＤＬとスピーカＳＲを供給先とする信号ＭＤＲの加算信号ＭＤＬ＋ＭＤＲからスピーカＳＦに与える信号ＭＡＳＦを生成するようにしてもよい。このような構成によると、加算信号ＭＤＬ＋ＭＤＲの利得と信号ＭＡＳＦの利得を増減させることにより、視聴者Ｐに仮想音源が近くにあるかのように感じさせることができる。
【００４３】
また、平面スピーカＳＦの個数を２つ以上とし、スピーカＳＬを供給先とする音信号ＭＤＬから１つの平面スピーカＳＦ−１を供給先とする音信号ＭＡＳＦ−１を生成し、スピーカＳＲを供給先とする音信号ＭＤＲからもう１つの平面スピーカＳＦ−２を供給先とする音信号ＭＡＳＦ−２を生成する、というように、複数個の平面スピーカＳＦを供給先とする音信号を個別に生成するようにしてもよい。
【００４４】
（８）上記第１実施形態において、視聴者Ｐの正面のスピーカＳＣを供給先とする音信号ＭＤＣの中から距離感の制御の対象となる成分の信号（たとえば、台詞や効果音等の一部の成分の信号）を抽出し、スピーカＳＣおよび平面スピーカＳＦに振り分けてもよい。
【００４５】
図８はこの態様の構成例を示すブロック図である。この例において、スピーカＳＣを供給先とする音信号ＭＤＣは、分離部２９０により距離感制御の対象となる成分の音信号ＭＤＣＡと距離感制御の対象とならない成分の音信号ＭＤＣＢとに分離される。ここで、距離感制御の対象とならない成分の音信号ＭＤＣＢは、増幅部２４１Ｂにより所定の利得で増幅され、加算器２４１Ｃに供給される。一方、距離感制御の対象となる成分の音信号ＭＤＣＡは、増幅部２４１Ａおよび２４６に供給される。この増幅部２４１Ａおよび２４６の各利得は、上記第１実施形態の増幅部２４１および２４６と同様、視聴者Ｐに聴取させる音の距離感を指定する制御信号に基づいて制御される。そして、増幅部２４１Ａの出力信号は加算器２４１Ｃへ、増幅部２４６の出力信号はフィルタ２６０の処理を経てＤ／Ａ変換部２７６へ出力される。そして、Ｄ／Ａ変換部２７６の出力信号が平面スピーカＳＦに供給され、音として出力される。加算器２４１Ｃは、増幅部２４１Ａの出力信号と距離感制御の対象とならない成分の音信号ＭＤＣＢとを加算した信号をＤ／Ａ変換部２７１へ出力する。そして、Ｄ／Ａ変換部２７１の出力信号がスピーカＳＣに供給され、音として出力される。
【００４６】
この態様によれば、スピーカＳＣを供給先とする音信号ＭＤＣの中から距離感の制御の対象となる成分の音信号ＭＤＣＡが抽出され、距離感を指定する制御信号に基づいて決定される各利得で増幅されてスピーカＳＣおよびＳＦに振り分けられる。従って、スピーカＳＣを供給先とする音信号ＭＤＣの中の特定の成分に限定して距離感の制御を行うことができる。
【００４７】
分離部２９０としては各種の構成のものが考えられるが、例えば台詞や効果音等の成分が属する帯域の音信号を通過させる帯域通過フィルタを使用してもよい。
【００４８】
また、例えば上記変形例（７）のように左フロントスピーカＳＬや右フロントスピーカＳＲ等へ供給する音信号から平面スピーカＳＦに供給する音信号を生成する場合においても、各音信号の中から距離感の制御の対象となる成分の信号のみを抽出し、各スピーカに各々振り分けてもよい。
【００４９】
（９）上記２実施形態では、フィルタ２６０Ａは、平面スピーカＳＦを供給先とする信号ＭＤＣ×ｇ６に対して平面スピーカＳＦから視聴者Ｐまでの区間の伝達関数ＨＡの逆数の関数に対応したフィルタ係数列ｈｊ（ｊ＝１，２…ｇ）を畳み込む処理をフィルタ処理として実行した。しかし、頭部伝達関数Ｈの逆数の関数に応じたフィルタ係数列を畳込んでもよい。また、伝達関数ＨＡと頭部伝達関数Ｈの和を伝達関数ＨＡ＋Ｈとし、この伝達関数ＨＡ＋Ｈの逆数の関数に応じたフィルタ係数列を畳込んでもよい。
【００５０】
（１０）上記各実施形態では、図９（ａ）に例示するように、平面スピーカＳＦと平面スピーカでないスピーカＳＣとの組み合わせにより、視聴者Ｐに聴かせる音の距離感の制御を行った。しかし、図９（ｂ）に例示するように、スピーカＳＣを平面波を放射するスピーカ（平面スピーカ）ＳＣＦに置き換え、異なる方向から視聴者Ｐに音を放射する２個の平面波を放射するスピーカ（平面スピーカ）ＳＦおよびＳＣＦの組み合わせにより距離感の制御を行ってもよい。図９（ａ）に例示するように平面スピーカＳＦと平面スピーカでないスピーカＳＣとを組み合わせた構成では、スピーカＳＣの近傍から視聴者Ｐの近傍までの広い範囲Ｄに亙って距離感の制御が可能である。図９（ｂ）に例示するように平面スピーカＳＦと平面スピーカＳＣＦとを組み合わせた構成では、範囲Ｄよりは狭い、視聴者Ｐ寄りの範囲Ｄ’に亙って距離感の制御が可能である。
【００５１】
（１１）視聴者Ｐの左耳に聴かせる音の距離感制御と右耳に聴かせる音の距離感制御を独立に行うようにしてもよい。図１０および図１１はこの態様の構成例を示すものである。この例では、図１０に示すように、天井の視聴者Ｐの上方の位置に平面スピーカＳＦＬおよびＳＦＲが配置されている。ここで、平面スピーカＳＦＬが放射する音は視聴者Ｐの左耳のみに届いて右耳には届かず、平面スピーカＳＦＲが放射する音は視聴者Ｐの右耳のみに届いて左耳には届かないように、平面スピーカＳＦＬおよびＳＦＲの位置が決定されている。視聴者Ｐの左前方のスピーカＳＬは、視聴者Ｐの左耳に向けて音を放射する。また、視聴者Ｐの右前方のスピーカＳＲは、視聴者Ｐの右耳に向けて音を放射する。
【００５２】
図１１はスピーカＳＬおよびＳＲと平面スピーカＳＦＬおよびＳＦＲに音信号を供給する信号処理系の構成を示している。図１１において、音信号ＭＤＬは、増幅部２４２ＬおよびＤ／Ａ変換部２７２Ｌの処理を経てスピーカＳＬに供給される一方、増幅部２４６Ｌ、フィルタ２６０ＬおよびＤ／Ａ変換部２７６Ｌの処理を経て平面スピーカＳＦＬに供給される。また、音信号ＭＤＲは、増幅部２４３ＲおよびＤ／Ａ変換部２７３Ｒの処理を経てスピーカＳＲに供給される一方、増幅部２４６Ｒ、フィルタ２６０ＲおよびＤ／Ａ変換部２７６Ｒの処理を経て平面スピーカＳＦＲに供給される。ここで、音信号ＭＤＬおよびＭＤＲは、例えば上記第１実施形態のデコーダ１２から再生されるＬ、Ｒ各チャネルの音信号である。フィルタ２６０Ｌおよび２６０Ｒは、上記第１実施形態のフィルタ２６０または上記第２実施形態のフィルタ２６０Ａと同様の機能を備えたフィルタである。増幅部２４２Ｌおよび２４６Ｌの各利得は、視聴者Ｐの左耳に聴かせる音の距離感を指定する制御信号に応じて制御される。また、増幅部２４３Ｒおよび２４６Ｒの各利得は、視聴者Ｐの右耳に聴かせる音の距離感を指定する制御信号に応じて制御される。
【００５３】
視聴者Ｐの左耳に聴かせる音の距離感を指定する制御信号および視聴者Ｐの右耳に聴かせる音の距離感を指定する制御信号の生成方法に関しては、各種の態様が考えられる。ある好ましい態様では、これらの距離感を指定する制御信号は、各チャネルの音信号および映像信号とともに圧縮符号化されて記録媒体に記録される。そして、これらの距離感を指定する制御信号は、各チャネルの音信号および映像信号とともに記録媒体から同期再生され、増幅部２４２Ｌ、２４６Ｌ、２４３Ｒ、２４６Ｒの利得の制御に利用される。他の好ましい態様では、これらの距離感を指定する制御信号は、各々個別の操作子の操作により生成される。
【００５４】
これらの態様によれば、視聴者Ｐの右耳に聴かせる音の距離感および視聴者Ｐの右耳に聴かせる音の距離感を各々独立に制御することができる。
【００５５】
なお、スピーカＳＬおよびＳＲを平面スピーカに置き換えてもよい。
また、上記変形例（８）において説明したような分離部を設け、音信ＭＤＬのうち距離感制御の対象となる成分の音信号のみを抽出して平面スピーカＳＦＬとスピーカＳＬに振り分け、音信ＭＤＲのうち距離感制御の対象となる成分の音信号のみを抽出して平面スピーカＳＦＲとスピーカＳＲに振り分けるようにしてもよい。
【００５６】
（１２）上記第１〜第４実施形態において、音響特性制御装置１０と平面スピーカＳＦのみにより音響システムを構成し、この音響システムをスピーカＳＣ，ＳＬ，ＳＲ，ＳＢＬ，ＳＢＲとこれらを駆動させる装置からなるサラウンドシステムと組み合わせて利用することにより、上記第１〜第４実施形態と同様の効果を奏するようにしてもよい。
【００５７】
この実施形態は、例えば、図１２に示すような構成よって実現される。図１２の例は、スピーカＳＣ，ＳＬ，ＳＲ，ＳＢＬ，ＳＢＲ，コンテンツ再生装置８０，及びサラウンド制御装置１２００からなるサラウンドシステムと、平面スピーカＳＦ及び音響特性制御装置１０Ｂからなる音響システムとを組み合わせたものである。サラウンドシステムにおけるスピーカＳＣ，ＳＬ，ＳＲ，ＳＢＬ，ＳＢＲは、居室の床または壁における視聴者Ｐの周囲に設置される。コンテンツ再生装置８０は、スピーカＳＣを供給先とする音信号ＭＡＣＨ１，スピーカＳＬを供給先とする音信号ＭＡＣＨ２，スピーカＳＲを供給先とする音信号ＭＡＣＨ３，スピーカＳＢＬを供給先とする音信号ＭＡＣＨ４，スピーカＳＲを供給先とする音信号ＭＡＣＨ５を出力する。そして、サラウンド制御装置１２００は、このコンテンツ再生装置８０から出力される５チャネルの信号ＭＡＣＨ１，ＭＡＣＨ２，ＭＡＣＨ３，ＭＡＣＨ４，ＭＡＣＨ５を各々に固有の利得で増幅し、この増幅によって信号レベルを調整した信号ＭＡＣＨ１’，ＭＡＣＨ２’，ＭＡＣＨ３’，ＭＡＣＨ４’，ＭＡＣＨ５’をスピーカＳＣ，ＳＬ，ＳＲ，ＳＢＬ，ＳＢＲに供給する。
【００５８】
また、図１２において、音響システムの平面スピーカＳＦは、居室内における視聴者Ｐの上方（ほぼ真上）に設置される。音響特性制御装置１０Ｂは、増幅部１２３０を有している。この音響特性制御装置１０Ｂは、コンテンツ再生装置８０から出力される音信号ＭＡＣＨ１，ＭＡＣＨ２，ＭＡＣＨ３，ＭＡＣＨ４，ＭＡＣＨ５のうちスピーカＳＣを供給先とする信号ＭＡＣＨ１を取り込み、この信号ＭＡＣＨ１を固有の利得で増幅し、この増幅によって信号レベルを調整した信号ＭＡＣＨ１”を平面スピーカＳＨに供給する。ここで、信号ＭＡＣＨ１を増幅する利得は、上記第１実施形態と同様、距離感を指定する制御信号に基づいて制御される。この場合、例えば上記第１実施形態のように、コンテンツ再生装置８０から再生される画像信号Ｖを解析し、その信号Ｖが表す画像内の表示物ＩＯについての両眼視差ＳＤＦを求め、この両眼視差ＳＤＦを距離感を指定する制御信号として利用してもよい。あるいはリモコンの操作によりこの距離感を指定する制御信号を発生させてもよい。以上のような構成によると、サラウンドシステムのスピーカＳＣによって室内に放音される音と音響システムのスピーカＳＦによって室内に放音される音が空間で混合される。これにより、視聴者Ｐが感じる音の距離感が制御される。よって、この構成によると、部屋に設置されているサラウンドシステムのシステム構成の大掛かりな改変を要することなく、上記第１〜第４実施形態と同様の効果を奏することができる。
【符号の説明】
【００５９】
１０…音響特性制御装置、１１…光学ドライブ、１２…デコーダ、２１０…方向性制御部、２２０…遅延部、２３０…ＬＰＦ、２４１，２４２，２４２Ｌ，２４３，２４３Ｒ，２４４，２４６，２４６Ｌ，２４６Ｒ…増幅部、２５０…位相反転部、２６０…フィルタ、２７１，２７２，２７２Ｌ，２７３，２７３Ｒ，２７４，２７５，２７６，２７６Ｌ，２７６Ｒ…Ｄ／Ａ変換部、２８０…利得制御部、８０…コンテンツ再生装置、８１…テレビラック、９０…記憶媒体。
【図１】
0005988710.tif 000002
【図２】
0005988710.tif 000003
【図３】
0005988710.tif 000004
【図４】
0005988710.tif 000005
【図５】
0005988710.tif 000006
【図６】
0005988710.tif 000007
【図７】
0005988710.tif 000008
【図８】
0005988710.tif 000009
【図９】
0005988710.tif 000010
【図１０】
0005988710.tif 000011
【図１１】
0005988710.tif 000012
【図１２】
0005988710.tif 000013